【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
被搭載体を載置する載置部材に緩衝体を設けて上記被搭載体の荷重を受け得るようにしてなり、上記被搭載体の荷重を受けて変形することに対する反力により上記被搭載体の載置に対して緩衝性を発揮する緩衝装置であって、
上記被搭載体により上記載置面に掛かる偏荷重に応じて上記緩衝体を配設してなることを特徴とする緩衝装置。
【請求項２】
請求項１の緩衝装置において、上記載置面に掛かる荷重が大きい部位に用いる上記緩衝体を、他の緩衝体よりも剛性が高いものまたは反発係数が大きいものとしてなることを特徴とする緩衝装置。
【請求項３】
被搭載体を載置する載置部材に緩衝体を設けて上記被搭載体の荷重を受け得るようにしてなり、上記被搭載体の荷重を受けて変形することに対する反力により上記被搭載体の載置に対して緩衝性を発揮する緩衝装置であって、
上記被搭載体により上記載置面に掛かる荷重に応じて上記緩衝体の緩衝有効領域外に対向して上記荷重を緩衝する保護手段を配設してなることを特徴とする緩衝装置。
【請求項４】
被搭載体を載置する載置部材に緩衝体を設けて上記被搭載体の荷重を受け得るようにしてなり、上記被搭載体の荷重を受けて変形することに対する反力により上記被搭載体の載置に対して緩衝性を発揮する緩衝装置であって、
上記被搭載体により上記載置面に掛かる荷重に応じて上記緩衝体の緩衝有効領域に対向して上記荷重を受ける補助部を配設してなることを特徴とする緩衝装置。
【請求項５】
請求項１ないし４のいずれかの緩衝装置において、上記緩衝体が上記載置面への結合手段を有してなることを特徴とする緩衝装置。
【請求項６】
請求項１ないし４のいずれかの緩衝装置において、上記載置面に上記緩衝体との結合手段を配してなることを特徴とする緩衝装置。
【請求項７】
請求項１から６のいずれかの緩衝装置を用いてなることを特徴とする梱包装置。
【請求項８】
請求項１から６のいずれかの緩衝装置を用いてなることを特徴とする荷役用パレット。
【請求項９】
請求項１から６のいずれかの緩衝装置を用いてなることを特徴とする車両用の荷台。
【請求項１０】
請求項１から６のいずれかの緩衝装置を用いてなることを特徴とする段ボール包装体。
【手続補正２】
【補正対象書類名】明細書
【補正対象項目名】０００６
【補正方法】変更
【補正の内容】
【０００６】
本発明の請求項１に係る緩衝装置は、上記目的を達成するために、被搭載体を載置する載置部材に緩衝体を設けて上記被搭載体の荷重を受け得るようにしてなり、上記被搭載体の荷重を受けて変形することに対する反力により上記被搭載体の載置に対して緩衝性を発揮する緩衝装置であって、上記被搭載体により上記載置面に掛かる偏荷重に応じて上記緩衝体を配設してなることを特徴とする。
【手続補正３】
【補正対象書類名】明細書
【補正対象項目名】０００７
【補正方法】変更
【補正の内容】
【０００７】
同請求項２に係るものは、請求項１の緩衝装置において、上記載置面に掛かる荷重が大きい部位に用いる上記緩衝体を、他の緩衝体よりも剛性が高いものまたは反発係数が大きいものとしてなることを特徴とする。
【手続補正４】
【補正対象書類名】明細書
【補正対象項目名】０００８
【補正方法】変更
【補正の内容】
【０００８】
同請求項３に係るものは、被搭載体を載置する載置部材に緩衝体を設けて上記被搭載体の荷重を受け得るようにしてなり、上記被搭載体の荷重を受けて変形することに対する反力により上記被搭載体の載置に対して緩衝性を発揮する緩衝装置であって、上記被搭載体により上記載置面に掛かる荷重に応じて上記緩衝体の緩衝有効領域外に対向して上記荷重を緩衝する保護手段を配設してなることを特徴とする。
【手続補正５】
【補正対象書類名】明細書
【補正対象項目名】０００９
【補正方法】変更
【補正の内容】
【０００９】
同請求項４に係るものは、被搭載体を載置する載置部材に緩衝体を設けて上記被搭載体の荷重を受け得るようにしてなり、上記被搭載体の荷重を受けて変形することに対する反力により上記被搭載体の載置に対して緩衝性を発揮する緩衝装置であって、上記被搭載体により上記載置面に掛かる荷重に応じて上記緩衝体の緩衝有効領域に対向して上記荷重を受ける補助部を配設してなることを特徴とする。
【手続補正６】
【補正対象書類名】明細書
【補正対象項目名】００１０
【補正方法】変更
【補正の内容】
【００１０】
同請求項５に係るものは、請求項１ないし４のいずれかの緩衝装置において、上記緩衝体が上記載置面への結合手段を有してなることを特徴とする。 
【手続補正７】
【補正対象書類名】明細書
【補正対象項目名】００１１
【補正方法】変更
【補正の内容】
【００１１】
同請求項６に係るものは、請求項１ないし４のいずれかの緩衝装置において、上記載置面に上記緩衝体との結合手段を配してなることを特徴とする。
【手続補正８】
【補正対象書類名】明細書
【補正対象項目名】００１２
【補正方法】変更
【補正の内容】
【００１２】
同請求項７に係る梱包装置は、請求項１から６のいずれかの緩衝装置を用いてなることを特徴とする。
【手続補正９】
【補正対象書類名】明細書
【補正対象項目名】００１３
【補正方法】変更
【補正の内容】
【００１３】
同請求項８に係る荷役用パレットは、請求項１から６のいずれかの緩衝装置を用いてなることを特徴とする。 
【手続補正１０】
【補正対象書類名】明細書
【補正対象項目名】００１４
【補正方法】変更
【補正の内容】
【００１４】
同請求項９に係る車両用の荷台は、請求項１から６のいずれかの緩衝装置を用いてなることを特徴とする。 
【手続補正１１】
【補正対象書類名】明細書
【補正対象項目名】００１５
【補正方法】変更
【補正の内容】
【００１５】
同請求項１０に係る段ボール包装体は、請求項１から６のいずれかの緩衝装置を用いてなることを特徴とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６８
【補正方法】変更
【補正の内容】
【００６８】
以下本発明の実施の形態を図面を参照して説明する。なお、以下に説明する実施形態においては、被搭載体を複写機とし、緩衝体をペットボトルとしているが、本発明の被搭載体については振動、衝撃等に対する緩衝を要するものであればどのようなものでも良く、緩衝体もペットボトルに限らず、同一、類似の構造、作用をなすものであれば種々採用できる。もちろん本発明用の緩衝体として専用に製作するものとしても良い。
【手続補正６３】
【補正対象書類名】明細書
【補正対象項目名】００８７
【補正方法】変更
【補正の内容】
【００８７】
図１０、図１１は、本発明に係る緩衝装置を用いた荷役用梱包装置用のパレットの他の例を示す断面図である。本例のパレット４０は、受板材４１ａとデッキボードである上板材４２ａの間に緩衝体であるペットボトル１５を配置して構成したもので、ペットボトル１５を装着する部位を、受板材４１の桁部４３ａと上板材４２ａの桁部４４ａとの間としたものである。詳細には、受板材４１ａの桁部４３ａと上板材４２ａの桁部４４ａそれぞれに収納部としての凹部４５、４６を対向させて設け、凹部４５、４６の間に、ペットボトル１５の緩衝有効部位に当接嵌着しかつ桁部４３、４４の端面の間に隙間ｃができるように凹部４５、４６の凹み寸法を形成し、緩衝有効領域外となるペットボトル１５の胴部１７が一部外部へ露出するようにして構成したものである。桁部４３、４４の端面間の隙間ｃで、ペットボトル１５の胴部１７を変形可能にするとともに、上板材４２ａを取り外せば、ペットボトル１５を簡単に交換できるようになっている。 
【手続補正６４】
【補正対象書類名】明細書
【補正対象項目名】００８８
【補正方法】変更
【補正の内容】
【００８８】
図１２は、本発明に係る緩衝装置を用いた荷役用梱包装置用のパレットのさらに他の例を示す断面図である。本例は、ペットボトル１５の首部３２の開口を塞ぐキャップ、シール材等がない場合も、首部３２の開口を塞ぐ手段を示すものである。また、受板材４１と上板材４２の間に設けたペットボトル１５の首部３２には緩衝機能がなく、緩衝有効領域外となっているため、荷重が掛かってそれぞれ胴部１７が潰れた場合に、ペットボトル１５の首部３２に荷重が加わり破損してしまう場合があることをも考慮したものである。 
【手続補正６５】
【補正対象書類名】明細書
【補正対象項目名】００８９
【補正方法】変更
【補正の内容】
【００８９】
すなわち、図１２（Ａ）では、保護部材４９ａをペットボトル１５の首部３２に対向させて嵌合させ、保護部材４９ａの底面（または上面、あるいは両面）に両面接着テープ４８を貼り付け、これによりペットボトル１５を固着保持できるようにしてある。もちろん図１１の例と同様に、上板材４２側に設けても良く、受板材４１、上板材４２の両方に設けても良い。また図１２（Ｂ）では、ペットボトル１５、１５をそれらの首部３２、３２同士が向き合うように配置し、二つの首部３２に一つの保護部材４９ｂをそれぞれ対向させて嵌合させて連結している。もちろん、いろいろな形態の保護部材を用いて、十字型や環状にペットボトル１５を連結配置することも可能である。 
【手続補正６６】
【補正対象書類名】図面
【補正対象項目名】図１０
【補正方法】変更
【補正の内容】
【図１０】
2006258297.tif 000001
【手続補正６７】
【補正対象書類名】図面
【補正対象項目名】図１１
【補正方法】変更
【補正の内容】
【図１１】
2006258297.tif 000002